(57)【要約】【課題】裏込め石の投入量を少なくしつつ、信頼性の高いケーソン目地部における裏込め構造体を提供する。【解決手段】捨石マウンド１２の上に複数のケーソン１１を目地部を介して所定間隔で整列するように設置する。ケーソン１１同士の目地部を塞ぐように目地材１６を捨石マウンド１２上に設置した後、目地材１６の背面であって捨石マウンド１２の上にマット２１を載置する。そしてマット２１の上にその内部に裏込め石が投入された複数の箱型形状の籠体１９を順次投入して配置し、必要量積上げる。籠体１９の積上げが完了すると、互いをワイヤー等を用いて結束することによって目地材１６を支持する重量材１８が完成する。重量材１８の外面を覆うように防砂布２３を設置して、裏込め構造体は完成する。【選択図】　　　図５
2004068334.tif 000002
【特許請求の範囲】
【請求項１】
ケーソン目地部における裏込め構造体であって、
ケーソンの目地部に配置された目地材と、
前記目地材の背面に設置され、特定箱型形状を有し、その内部に裏込め石が収納された重量材とを備えた、ケーソン目地部における裏込め構造体。
【請求項２】
前記重量材は、複数の箱体を積上げることによって構成され、前記箱体の各々の内部には裏込め石が収納される、請求項１記載のケーソン目地部における裏込め構造体
【請求項３】
前記箱体は、メッシュパネルにより各面が構成される立方体形状又は直方体形状よりなる、請求項２記載のケーソン目地部における裏込め構造体。
【請求項４】
前記メッシュパネルは、防錆性に優れた素材により形成される、請求項３記載のケーソン目地部における裏込め構造体。
【請求項５】
前記目地材が配置される捨石マウンドの上であって、その近傍に配置されたマットを更に備え、
前記マットの上に前記箱体の少なくとも２個が前記目地材に沿うように隣接して載置される、請求項２又は請求項３記載のケーソン目地部における裏込め構造体。
【請求項６】
前記重量材の外面を全面に覆う防砂布を更に備えた、請求項３又は請求項４記載のケーソン目地部における裏込め構造体。
【請求項７】
ケーソン目地部における裏込め構造体の施工方法であって、
複数のケーソンを目地部を介して捨石マウンド上に配置する工程と、
前記配置されたケーソンの目地部を塞ぐ目地材を設置する工程と、
前記設置された目地材の背面であって、前記捨石マウンドの上にマットを載置する工程と、
前記載置されたマットの上に、その内部に裏込め石が収納された箱型形状の第１の重量材を複数配置する工程と、
前記配置された第１の重量材の上に、その内部に他の裏込め石が収納された箱型形状の第２の重量材を前記目地材の背面を支持するように積上げる工程と、
前記配置された第１の重量材及び前記積上げられた第２の重量材の外面を覆うように防砂布を設置する工程とを備えた、裏込め構造体の施工方法。
【発明の詳細な説明】
【０００１】
【発明の属する技術分野】
この発明はケーソン目地部における裏込め構造体及び裏込め構造体の施工方法に関し、特に岸壁を形成するためのケーソンを用いた場合のケーソン目地部における裏込め構造体及び裏込め構造体の施工方法に関するものである。
【０００２】
【従来の技術】
図６は従来のケーソン目地部における裏込め構造を示す平面図であり、図７は図６で示したＶＩＩ−ＶＩＩラインの断面図である。
【０００３】
これらの図を参照して、ケーソン１１ａ〜ケーソン１１ｄを設置する際には、まず海底１３の所定の位置に捨石マウンド１２を形成する。そして捨石マウンド１２の上にケーソン１１ａ〜ケーソン１１ｄの各々を目地部１５を介して整列するように設置する。
【０００４】
次に、各ケーソンの間の目地部１５を塞ぐように、長方形シート状の目地材１６ａ〜目地材１６ｄが捨石マウンド１２の上に設置される。目地材１６は、ケーソンの背面側に投入される後述の裏込め石等が目地部から吸い出されることを防止するために設けられるものである。続いて目地材１６ａ〜目地材１６ｄの背面を塞ぐように岩６１や瓦礫６２からなる裏込め石６０が、捨石マウンド１２の上に投入される。必要な量の裏込め石６０が投入された後、その上面及び傾斜面を整列させた後、裏込め石６０の外面を覆うように防砂布２３を設置する。裏込め石６０は、このように配置されることによって目地部１５を通して目地材１６に加わる海水の衝撃から目地材１６を支持するために設けられている。
【０００５】
又、防砂布２３は、裏込め石６０を全面に覆うことによって岩６１や瓦礫６２の吸い出しを防止するために設けられている。実際の工事では図７の状態から防砂布２３側を更に覆うように土砂等が投入されるものである。そして、ケーソン１１の上面や防砂布２３を覆うように投入された土砂の上面等にコンクリートを打設して、これを平坦化することによって、岸壁が完成する。
【０００６】
【発明が解決しようとする課題】
上記のような従来のケーソン目地部における裏込め構造にあっては、裏込め石として岩や瓦礫等を順次投入して積上げて行くため、その断面形状は図７で示したような台形形状となってしまう。そのため、目地材を支持するのに必要な量以上の裏込め石を投入しなければならず、又、投入に要する時間も掛ってしまうことになる。
【０００７】
この発明は上記のような課題を解決するためになされたもので、裏込め石の投入量を少なくする、信頼性の高いケーソン目地部における裏込め構造体及び裏込め構造体の施工方法を提供することを目的とする。
【０００８】
【課題を解決するための手段】
上記の目的を達成するために、請求項１記載の発明は、ケーソン目地部における裏込め構造体であって、ケーソンの目地部に配置された目地材と、目地材の背面に配置され、特定箱型形状を有し、その内部に裏込め石が収納された重量材とを備えたものである。
【０００９】
このように構成すると、石や瓦礫等の裏込め石が散乱しない。
【００１０】
請求項２記載の発明は、請求項１記載の発明の構成において、重量材は、複数の箱体を積上げることによって構成され、箱体の各々の内部には裏込め石が投入されるものである。
【００１１】
このように構成すると、重量材は箱体の組合せで構成される。
【００１２】
請求項３記載の発明は、請求項２記載の発明の構成において、箱体はメッシュパネルにより各面が構成される立方体形状又は直方体形状よりなるものである。
【００１３】
このように構成すると、箱体の海中への投入の際の空気抜きが不要となる。
【００１４】
請求項４記載の発明は、請求項３記載の発明の構成において、メッシュパネルは、防錆性に優れた素材により形成されるものである。
【００１５】
このように構成すると、箱体のメッシュパネルが錆付きにくくなる。
【００１６】
請求項５記載の発明は、請求項２又は請求項３記載の発明の構成において、目地材が配置される捨石マウンドの上であって、その近傍に配置されたマットを更に備え、マットの上に箱体の少なくとも２個が目地材に沿うように隣接して載置されるものである。
【００１７】
このように構成すると、捨石マウンドの不均一な沈下はマットが吸収する。
【００１８】
請求項６記載の発明は、請求項３又は請求項４記載の発明の構成において、重量材の外面を全面に覆う防砂布を更に備えたものである。
【００１９】
このように構成すると、箱体内の裏込め石が外方に吸い出されることはない。
【００２０】
請求項７記載の発明は、ケーソン目地部における裏込め構造体の施工方法であって、複数のケーソンを目地部を介して捨石マウンド上に配置する工程と、配置されたケーソンの目地部を塞ぐ目地材を設置する工程と、設置された目地材の背面であって、捨石マウンドの上にマットを載置する工程と、載置されたマットの上に、その内部に裏込め石が収納された箱型形状の第１の重量材を複数配置する工程と、配置された第１の重量材の上に、その内部に他の裏込め石が収納された箱型形状の第２の重量材を目地材の背面を支持するように積上げる工程と、配置された第１の重量材及び積上げられた第２の重量材の外面を覆うように防砂布を設置する工程とを備えたものである。
【００２１】
このように構成すると、裏込め石は第１の重量材及び第２の重量材の内部に収納された状態で目地材の背面を支持する。
【００２２】
【発明の効果】
以上説明したように、請求項１記載の発明は、裏込め石が散乱することはないため、裏込め石の必要量を少なくすることが可能となる。
【００２３】
請求項２記載の発明は、請求項１記載の発明の効果に加えて、重量材は箱体の組合せで構成されるため、事前に箱体毎に裏込め石を収納しておけば重量材の配置が迅速且つ容易となる。
【００２４】
請求項３記載の発明は、請求項２記載の発明の効果に加えて、重量材を構成する箱体の投入の際の空気抜きが不要となるため、効率的な箱体の海中への沈下が可能となるとともに、箱体が立方体形状となっているため配置や積上げが容易となる。
【００２５】
請求項４記載の発明は、請求項３記載の発明の効果に加えて、箱体のメッシュパネルが錆びにくくなるため、重量材の耐久性が向上する。
【００２６】
請求項５記載の発明は、請求項２又は請求項３記載の発明の効果に加えて、捨石マウンドの不均一な沈下が生じても、マット上に載置された箱体は一体化した状態が保持され、裏込め構造体の信頼性が向上する。
【００２７】
請求項６記載の発明は、請求項３又は請求項４記載の発明の効果に加えて、箱体内の裏込め石が外方に吸い出されることはないため、必要最低限の裏込め石を用いれば良く効率的な重量材となる。
【００２８】
請求項７記載の発明は、裏込め石は第１の重量材及び第２の重量材の内部に投入された状態で目地材を支持するため、迅速な施工が可能となるとともに、使用する裏込め石の量を低減することが可能となる。
【００２９】
【発明の実施の形態】
図１はこの発明の第１の実施の形態によるケーソン目地部における裏込め構造体の概略形状を示した平面図であり、図２は図１で示したＩＩ−ＩＩラインの断面図であり、図３は図１で示したＩＩＩ−ＩＩＩラインの断面図である。
【００３０】
これらの図を参照して、ケーソンを用いて岸壁を形成する際には、まず海底１３の所定箇所に捨石マウンド１２を形成する。そして捨石マウンド１２の上に直方体形状の複数のケーソン１１が、目地部１５を介して離した状態で一列に整列するように設置されている。各ケーソン１１の目地部１５を塞ぐように長方形シート状の目地材１６が捨石マウンド１２の上に設置されている。
【００３１】
設置された目地材１６の背面であって捨石マウンド１２の上には、直方体シート状のマット２１が載置されている。このマット２１は、捨石マウンド１２が構造体設置後に不均一な沈下を生じた場合でも、マット２１上に設置する重量材に影響を与えさせないためである。
【００３２】
マット２１の上には重量材１８が載置されているが、重量材１８は複数の同一形状の籠体１９を積上げることによって構成されている。
【００３３】
図４はこの籠体の具体的構成を示すための概略斜視図である。
【００３４】
図を参照して、籠体１９は実線で示すように立方体形状を有しているが二点鎖線で示すような直方体形状であっても良い。そして籠体１９は各構成面がメッシュパネル２５によって構成されており、その内部に岩２６や瓦礫２７からなる裏込め石２４が一杯となるように収納されている。これによって裏込め石２４は、外方に散乱することはなく立方体形状の籠体１９を１つの単位として取り扱うことが可能となる。
【００３５】
尚、各構成面がメッシュパネル２５となっているため、裏込め石２４を収納した籠体１９を海中に投入してこれを沈下させる際、空気抜きをする必要がないため作業が効率化する。又、メッシュパネル２５は防錆性を向上させるために、ポリエチレン製の線素材やポリエチレンで表面を被覆した鋼線により形成されている。これにより、籠体１９の耐久性を向上させている。
【００３６】
図１から図３に戻って、積上げられた籠体１９の外面を覆うように防砂布２３が取付けられている。これによって籠体１９内に収納されている裏込め石２４の細かな石、砂等が外方に吸い出されることが防止されている。
【００３７】
このように裏込め石２４は外方に散乱する虞はなく籠体１９毎の単位で扱うことが可能となるため、図２で二点鎖線で示した従来の裏込め石を投入した場合の台形形状に籠体１９を配置する必要はない。このため、従来の裏込め構造に比べて実際的に使用される裏込め石２４の量を極めて低減することが可能となる。
【００３８】
又、図１によっても明らかなようにケーソン１１の整列方向における裏込め石の必要量も、図６に示した従来例によるものに比べて極めて低減させることが可能となる。すなわち、従来であれば、目地部同士の間隔はそれほど広くないため、投入された裏込め石６０全体の形状を目地材１６の整列方向に対して台形形状にできない。そのため、図６に示されているように目地材１６の整列方向に対して裏込め石６０を連続的に投入する必要がある。
【００３９】
一方、この実施の形態によれば、図１に示されているように重量材１８はケーソン１１の整列方向に対して連続的に設置されているものではなく、目地材１６毎に不連続的に設置されている。すなわち、重量材１８同士のスペース２０には裏込め石２４は実質的には投入されておらず、その分だけ更に裏込め石２４の必要量を低減することが可能となる。
【００４０】
尚、この実施の形態においては、マット２１の上に、重量材１８の下部を構成する４個の籠体１９を配置しているが、上述のように捨石マウンド１２の不均一な沈下が生じてもこれはマット２１に吸収され、その上に配置される籠体１９には影響しないため、目地材１６を支持する重量材１８の信頼性を向上する。
【００４１】
図５は図１〜図３で示した実施の形態による裏込め構造体の施工方法を説明するための概略工程図である。
【００４２】
図を参照して、その（１）に示されているように、前もって海底の所定箇所に形成された捨石マウンド１２の上にケーソン１１が所定間隔で整列状態で海中に設置される。そしてケーソン１１の各々の間の目地部を塞ぐように、目地材１６が投下されてケーソン１１に沿うように設置される。
【００４３】
次に、目地部１５の（２）に示されているように、設置された目地材１６の背面であって、捨石マウンド１２の上にマット２１が載置される。そしてマット２１の上に図４で示したような籠体１９が順次投入されて載置される。
【００４４】
更に、図５の（３）に示されているように、次々と籠体１９が投下されて積上げられる。そして積上げられた籠体１９は互いに防錆性の高いワイヤー等で結束されて相互に一体化される。
【００４５】
図５の（４）に示されているように、籠体１９が所定量投入されて互いに結束されて重量材１８の設置が完了すると、重量材１８の外面を覆うように防砂布２３が設置される。これによってケーソン目地部における裏込め構造体の施工が完了する。
【００４６】
尚、上記の実施の形態では、籠体の形状は立方体又は直方体としているが、箱型形状であれば他の形状でも良い。
【００４７】
又、上記の実施の形態では、重量材は複数の籠体を一体化することにより構成されているが、一つの大きな籠体を先に沈下させておき、これに裏込め石を収納するように構成しても良い。
【００４８】
更に、上記の実施の形態では、籠体の各構成面をメッシュパネルで構成しているが、通常の平板パネルで構成しても良く、あるいは、構成面の一部をメッシュパネルで構成するようにしても良い。この場合、海中への投入時の空気抜きの対策を施せば使い勝手が良い。
【００４９】
更に、上記の実施の形態では、目地材は目地部の後方でケーソンの背面に沿うように取り付けているが、目地部自体に挿入するような形式の目地材であっても同様の効果を奏する。
【図面の簡単な説明】
【図１】この発明の第１の実施の形態によるケーソン目地部における裏込め構造体の概略構造を示した平面図である。
【図２】図１で示したＩＩ−ＩＩラインの断面図である。
【図３】図１で示したＩＩＩ−ＩＩＩラインの断面図である。
【図４】図２及び図３で示した籠体の具体的構造を示した概略斜視図である。
【図５】図１で示したケーソン目地部における裏込め構造体の施工方法を説明するための概略工程図である。
【図６】従来のケーソン目地部における裏込め構造の概略構成を示した平面図である。
【図７】図６で示したＶＩＩ−ＶＩＩラインの断面図である。
【符号の説明】
１１…ケーソン
１２…捨石マウンド
１５…目地部
１６…目地材
１８…重量材
１９…籠体
２１…マット
２３…防砂布
２４…裏込め石
２５…メッシュパネル
尚、各図中同一符号は同一又は相当部分を示す。
【図１】
2004068334.tif 000003
【図２】
2004068334.tif 000004
【図３】
2004068334.tif 000005
【図４】
2004068334.tif 000006
【図５】
2004068334.tif 000007
【図６】
2004068334.tif 000008
【図７】
2004068334.tif 000009